(57)【要約】【課題】簡単かつコストのかからない構造で複数の収納ラックを積み重ねて使用することができるようにしたパイプ結合具及びそれを用いたラック構造体を提供する。【解決手段】第１の水平パイプが着脱可能に挿着される第１水平挿着孔が穿設された第１水平受け部と、前記第１の水平パイプに直交する第２の水平パイプが着脱可能に挿着される第２水平挿着孔が穿設されかつ前記第１水平受け部に直交部を介して直交する第２水平受け部と、垂直パイプ、連結部材又はキャスタが着脱可能に挿着される第１垂直挿着孔及び第２垂直挿着孔が互いに長手方向反対方向に穿設されかつ前記第１及び第２水平受け部と直交するように前記直交部に垂設された垂直受け部と、を備えるようにした。【選択図】図１
0003146539.tif 000002
【実用新案登録請求の範囲】
【請求項１】
複数本の垂直パイプと複数本の水平パイプとを直方体形状に組み付けてなるキャスタ付のラック構造体を組み立てるに際して用いられかつ前記ラック構造体を連結部材を用いて連結積層する際に用いられるパイプ結合具であって、
第１の水平パイプが着脱可能に挿着される第１水平挿着孔が穿設された第１水平受け部と、
前記第１の水平パイプに直交する第２の水平パイプが着脱可能に挿着される第２水平挿着孔が穿設されかつ前記第１水平受け部に直交部を介して直交する第２水平受け部と、
垂直パイプ、連結部材又はキャスタが着脱可能に挿着される第１垂直挿着孔及び第２垂直挿着孔が互いに長手方向反対方向に穿設されかつ前記第１及び第２水平受け部と直交するように前記直交部に垂設された垂直受け部と、
を備えることを特徴とするパイプ結合具。
【請求項２】
第１の水平パイプが着脱可能に挿着される第１水平挿着孔が穿設された第１水平受け部と、
前記第１の水平パイプに直交する第２の水平パイプが着脱可能に挿着される第２水平挿着孔が穿設されかつ前記第１水平受け部に直交部を介して直交する第２水平受け部と、
垂直パイプ、連結部材又はキャスタが着脱可能に挿着される第１垂直挿着孔と垂直パイプ又は連結部材が着脱可能に挿着される第２垂直挿着孔とが互いに長手方向反対方向に穿設されかつ前記第１及び第２水平受け部と直交するように前記直交部に垂設された垂直受け部と、
を備えたパイプ結合具であって、
第１のパイプ結合具と第２のパイプ結合具を連結する場合には、第１のパイプ結合具の第２垂直挿着孔と第２のパイプ結合具の第１垂直挿着孔とを対向せしめ、第１のパイプ結合具の第２垂直挿着孔に前記連結部材の下部部分を挿入し、かつ第２のパイプ結合具の第１垂直挿着孔に前記連結部材の上部部分を挿入することによって第１のパイプ結合具と第２のパイプ結合具を連結することができ、
複数本の垂直パイプと複数本の水平パイプとを直方体形状に組み付けてなるキャスタ付のラック構造体を組み立てるに際しては、直方体形状のラック構造体の８箇所の隅角部、即ち４箇所の上部隅角部及び４箇所の下部隅角部のそれぞれに４個の上部パイプ結合具及び４個の下部パイプ結合具を配置し、それぞれのパイプ結合具は前記第１水平挿着孔及び第２水平挿着孔が相対向しかつ前記第１垂直挿着孔と第２垂直挿着孔が相対向するように配置され、相対向する一対の第１水平挿着孔及び第２水平挿着孔にそれぞれ水平パイプを挿着しかつ相対向する一対の第１垂直挿着孔及び第２垂直挿着孔にそれぞれ垂直パイプを挿着することによってラック構造体を組み立て、かつ下部パイプ結合具の第１垂直挿着孔のそれぞれにキャスタ単体の支持軸を挿入することによってキャスタ付ラック構造体とすることができ、
さらに、第１ラック構造体の上に第２ラック構造体を連結載置した積層構造とする場合には、第１ラック構造体の４箇所の上部隅角部に位置する４個の上部パイプ結合具のそれぞれの第２垂直挿着孔に連結部材の下部部分を挿入しかつ第２ラック構造体の４箇所の下部隅角部に位置する４個の下部パイプ結合具のそれぞれの第１垂直挿着孔に前記連結部材の上部部分を挿入することによって第１ラック構造体の４つの上部パイプ結合具と第２ラック構造体の４つの下部パイプ結合具とが連結され、即ち第１ラック構造体と第２ラック構造体とが上下方向に連結され積層構造とすることができるようにしたことを特徴とするパイプ結合具。
【請求項３】
前記連結部材が、軸部材と、該軸部材の長手方向中央部に設けられた径大なるストッパリング部材と、該軸部材の両端部部分には長手方向に所定間隔をおいて複数個の径小なるスリップリング部材とを有し、前記第１及び第２垂直挿着孔の内面に複数本の突条を設け、前記連結部材を前記第１及び第２垂直挿着孔に挿入する際に、スリップリング部材及び突状とが互いに摺接して連結部材の挿入動作が円滑に行われかつ前記ストッパリング部材によって連結部材に挿入先端部が係止されて所定位置に連結部材を設置させることができるようにしたことを特徴とする請求項１又は２記載のパイプ結合具。
【請求項４】
請求項１〜３のいずれか１項記載のパイプ結合具を用い、複数のラック構造体が上下方向に連結され積層構造とされてなることを特徴とするラック構造体。
【考案の詳細な説明】
【技術分野】
【０００１】
本考案は、ワイシャツを収納するワイシャツラックやハンドバッグ等を収納するバッグラック等に用いられるパイプ結合具及びそれを用いた組み立て式のラック構造体に関する。
【背景技術】
【０００２】
従来、特に家庭や店頭・店内等で衣服類や日用品を収納するのに用いられる収納ラックとして、プラスチックなどの合成樹脂製のパイプを骨組みとした、不織布を張った収納ラックが知られている。
【０００３】
この従来の収納ラックは、比較的製造が容易であるためコストが安く、したがって商品の値段も比較的安価なため誰でも購入しやすいものである。
【０００４】
一方、例えば、布材など通気性の高い素材を用い、単体で使用するほか、別途ラック等を要さずに積み重ねて使用することもでき、かつ、不使用時には簡単な操作でコンパクトに折り畳むことができる収納ケース（要約、特許文献１）なども提案されている。
【０００５】
しかしながら、プラスチックなどの合成樹脂製のパイプを骨組みとし不織布を張った組み立て式の収納ラックでは、積み重ねて使用するできる構造がなかったため、複数の収納ラックを積み重ねて使用することができないという問題があった。
【特許文献１】実用新案登録第３１４０９６０号公報
【考案の開示】
【考案が解決しようとする課題】
【０００６】
本考案は、上記問題点に鑑みて為されたものであり、簡単かつコストのかからない構造で複数の収納ラックを積み重ねて使用することができるようにしたパイプ結合具及びそれを用いたラック構造体を提供することを目的とする。
【課題を解決するための手段】
【０００７】
上記課題を解決するために、本考案のパイプ結合具は、
複数本の垂直パイプと複数本の水平パイプとを直方体形状に組み付けてなるキャスタ付のラック構造体を組み立てるに際して用いられかつ前記ラック構造体を連結部材を用いて連結積層する際に用いられるパイプ結合具であって、
第１の水平パイプが着脱可能に挿着される第１水平挿着孔が穿設された第１水平受け部と、
前記第１の水平パイプに直交する第２の水平パイプが着脱可能に挿着される第２水平挿着孔が穿設されかつ前記第１水平受け部に直交部を介して直交する第２水平受け部と、
垂直パイプ、連結部材又はキャスタが着脱可能に挿着される第１垂直挿着孔及び第２垂直挿着孔が互いに長手方向反対方向に穿設されかつ前記第１及び第２水平受け部と直交するように前記直交部に垂設された垂直受け部と、
を備えることを特徴とする。
【０００８】
このような構成とすれば、プラスチックなどの合成樹脂製のパイプからなる組み立て式の収納ラックを簡単かつコストのかからない構造で複数個を積み重ねることが可能となる。本考案のパイプ結合具の材質は特に限定されないが、例えばポリプロピレン等のプラスチック材料から構成することができる。
【０００９】
なお、本考案のパイプ結合具の大きさは、ワイシャツラックやバッグラック等に用いることのできる大きさであればよく、特に限定されないが、例えば、高さは５ｃｍ〜１０ｃｍ程度、横幅は５ｃｍ〜１０ｃｍ程度、奥行きは５ｃｍ〜１０ｃｍ程度であればよい。
【００１０】
また、第１の水平パイプが着脱可能に挿着される第１水平挿着孔が穿設された第１水平受け部と、
前記第１の水平パイプに直交する第２の水平パイプが着脱可能に挿着される第２水平挿着孔が穿設されかつ前記第１水平受け部に直交部を介して直交する第２水平受け部と、
垂直パイプ、連結部材又はキャスタが着脱可能に挿着される第１垂直挿着孔と垂直パイプ又は連結部材が着脱可能に挿着される第２垂直挿着孔とが互いに長手方向反対方向に穿設されかつ前記第１及び第２水平受け部と直交するように前記直交部に垂設された垂直受け部と、
を備えたパイプ結合具であって、
第１のパイプ結合具と第２のパイプ結合具を連結する場合には、第１のパイプ結合具の第２垂直挿着孔と第２のパイプ結合具の第１垂直挿着孔とを対向せしめ、第１のパイプ結合具の第２垂直挿着孔に前記連結部材の下部部分を挿入し、かつ第２のパイプ結合具の第１垂直挿着孔に前記連結部材の上部部分を挿入することによって第１のパイプ結合具と第２のパイプ結合具を連結することができ、
複数本の垂直パイプと複数本の水平パイプとを直方体形状に組み付けてなるキャスタ付のラック構造体を組み立てるに際しては、直方体形状のラック構造体の８箇所の隅角部、即ち４箇所の上部隅角部及び４箇所の下部隅角部のそれぞれに４個の上部パイプ結合具及び４個の下部パイプ結合具を配置し、それぞれのパイプ結合具は前記第１水平挿着孔及び第２水平挿着孔が相対向しかつ前記第１垂直挿着孔と第２垂直挿着孔が相対向するように配置され、相対向する一対の第１水平挿着孔及び第２水平挿着孔にそれぞれ水平パイプを挿着しかつ相対向する一対の第１垂直挿着孔及び第２垂直挿着孔にそれぞれ垂直パイプを挿着することによってラック構造体を組み立て、かつ下部パイプ結合具の第１垂直挿着孔のそれぞれにキャスタ単体の支持軸を挿入することによってキャスタ付ラック構造体とすることができ、
さらに、第１ラック構造体の上に第２ラック構造体を連結載置した積層構造とする場合には、第１ラック構造体の４箇所の上部隅角部に位置する４個の上部パイプ結合具のそれぞれの第２垂直挿着孔に連結部材の下部部分を挿入しかつ第２ラック構造体の４箇所の下部隅角部に位置する４個の下部パイプ結合具のそれぞれの第１垂直挿着孔に前記連結部材の上部部分を挿入することによって第１ラック構造体の４つの上部パイプ結合具と第２ラック構造体の４つの下部パイプ結合具とが連結され、即ち第１ラック構造体と第２ラック構造体とが上下方向に連結され積層構造とすることができるようにするのが好ましい。
【００１１】
さらに、前記連結部材が、軸部材と、該軸部材の長手方向中央部に設けられた径大なるストッパリング部材と、該軸部材の両端部部分には長手方向に所定間隔をおいて複数個の径小なるスリップリング部材とを有し、前記第１及び第２垂直挿着孔の内面に複数本の突条を設け、前記連結部材を前記第１及び第２垂直挿着孔に挿入する際に、スリップリング部材及び突状とが互いに摺接して連結部材の挿入動作が円滑に行われかつ前記ストッパリング部材によって連結部材に挿入先端部が係止されて所定位置に連結部材を設置させることができるようにするのが好適である。前記連結部材の材質は特に限定されないが、例えばポリプロピレン等のプラスチック材料から構成すればよい。
【００１２】
本考案に係るラック構造体は、前記した本考案に係るパイプ結合具を用い、複数のラック構造体が上下方向に連結され積層構造とされてなることを特徴とする。
【００１３】
なお、本考案に係るパイプ結合具は、ラック構造体に適用可能なものであるから、ワイシャツラックやバッグラック等以外の収納ラックにも適用可能であることは勿論である。
【考案の効果】
【００１４】
本考案によれば、簡単かつコストのかからない構造で複数の収納ラックを積み重ねて使用することができるようにしたパイプ結合具及びそれを用いたラック構造体を提供することができるという著大な効果を奏する。
【考案を実施するための最良の形態】
【００１５】
以下に本考案の実施の形態を添付図面に基づいて説明するが、本考案の技術思想から逸脱しない限りこれらの実施の形態について種々の変更又は変形が可能なことは言うまでもない。
【００１６】
図１は本考案のパイプ結合具を示す斜視図、図２は本考案のパイプ結合具を連結部材で連結する様子を示す斜視図、図３は本考案のパイプ結合具を連結部材で連結した様子を示す正面図である。
【００１７】
図４は本考案のパイプ結合具を示し、（ａ）が上面図、（ｂ）が底面図、図５は本考案のパイプ結合具を用いて本考案のラック構造体を組み立てている様子を示す斜視図である。図６は図５の状態からさらに本考案のラック構造体を組み立てている様子を示す斜視図、図７は図６の状態からさらに本考案のラック構造体を組み立てている様子を示す斜視図、図８は図７の状態からさらに本考案のラック構造体を組み立てている様子を示す斜視図、図９は本考案のラック構造体を組み立てた状態を示す斜視図である。
【００１８】
図において、符号１０は本考案のパイプ結合具を示す。図によく示される如く、パイプ結合具１０は、複数本の垂直パイプ１２ａ〜１２ｄと複数本の水平パイプ１４ａ〜１４ｄとを直方体形状に組み付けてなるキャスタ付のラック構造体１６ａを組み立てるに際して用いられかつ前記ラック構造体１６ａを連結部材１８を用いて連結積層する際に用いられるパイプ結合具である。
【００１９】
パイプ結合具１０は、第１の水平パイプ（図の例では水平パイプ１４ａ）が着脱可能に挿着される第１水平挿着孔２０が穿設された第１水平受け部２２と、前記第１の水平パイプ１４ａに直交する第２の水平パイプ（図の例では水平パイプ１４ｄ）が着脱可能に挿着される第２水平挿着孔２４が穿設されかつ前記第１水平受け部２２に直交部２６を介して直交する第２水平受け部２８と、垂直パイプ１２、連結部材１８又はキャスタ３０が着脱可能に挿着される第１垂直挿着孔３２及び第２垂直挿着孔３４が互いに長手方向反対方向に穿設されかつ前記第１水平受け部２２及び第２水平受け部２８と直交するように前記直交部２６に垂設された垂直受け部３６と、を備える構成とされている。
【００２０】
そして、第１のパイプ結合具１０ａと第２のパイプ結合具１０ｂを連結する場合には、図２及び図３によく示される如く、第１のパイプ結合具１０ａの第２垂直挿着孔３４ａと第２のパイプ結合具１０ｂの第１垂直挿着孔３２ｂとを対向せしめ、第１のパイプ結合具１０ａの第２垂直挿着孔３４ａに前記連結部材１８の上部部分３８を挿入し、かつ第２のパイプ結合具１０ｂの第１垂直挿着孔３２ｂに前記連結部材１８の下部部分４０を挿入することによって第１のパイプ結合具１０ａと第２のパイプ結合具１０ｂを連結する。
【００２１】
図５に示されるような複数本の垂直パイプ１２ａ〜１２ｄと複数本の水平パイプ１４ａ〜１４ｄとを直方体形状に組み付けてなるキャスタ３０ａ〜３０ｄ付のラック構造体１６ｂを組み立てるに際しては、直方体形状のラック構造体１６ａの８箇所の隅角部、即ち４箇所の上部隅角部及び４箇所の下部隅角部のそれぞれに４個の上部パイプ結合具１０ａ及び４個の下部パイプ結合具１０ｂを配置し、それぞれのパイプ結合具は前記第１水平挿着孔２０及び第２水平挿着孔２４が相対向しかつ前記第１垂直挿着孔３２と第２垂直挿着孔３４が相対向するように配置され、相対向する一対の第１水平挿着孔２０及び第２水平挿着孔２４にそれぞれ水平パイプ１４ａ〜１４ｄを挿着しかつ相対向する一対の第１垂直挿着孔３２及び第２垂直挿着孔３４にそれぞれ垂直パイプ１２ａ〜１２ｄを挿着することによってラック構造体を組み立て、かつ下部パイプ結合具１０ｂの第１垂直挿着孔３２のそれぞれにキャスタ単体の支持軸を挿入することによってキャスタ付ラック構造体１６ｂとする。
【００２２】
図５において、ラック構造体１６ｂの収容部上面５６、収容部側面５８，６０、収容部下面６２及び棚板６４はそれぞれ不織布で構成されている。そして、収容部上面５６の端部に設けられた挿通部６６ａ，６６ｂに水平パイプ１４ｂ，１４ｄを挿入し、パイプ結合具１０ｂが取り付けられた水平パイプ１４ａ，１４ｃと組み付ける。そして、収容部上面５６の端部に設けられた面ファスナー６８ａ,６８ｂで固定する。ラック構造体１６ｂの収容部側面５８，６０には、挿通部７０ａ〜７０ｄが設けられおり、ここに垂直パイプ１２ａ〜１２ｄを挿入する。ラック構造体１６ｂの収容部下面６２には、面ファスナー６８ａ〜６８ｄ（４カ所）が設けられており、図７と同様にして組み立てられた水平パイプ１４ａ〜１４ｄを面ファスナー６８ａ〜６８ｄで固定する。そして、垂直パイプ１２ａ〜１２ｄ及び水平パイプ１４ａ〜１４ｄをパイプ結合具１０ｃで組み付け、パイプ結合具１０ｃの第２垂直挿着孔３４にキャスタ３０ａ〜３０ｄを挿入してキャスタ付ラック構造体１６ｂとする。
【００２３】
さらに、第１ラック構造体１６ｂの上に第２ラック構造体１６ａを連結載置した積層構造とする場合には、第１ラック構造体１６ｂの４箇所の上部隅角部に位置する４個の上部パイプ結合具１０ａのそれぞれの第２垂直挿着孔３４に連結部材１８の下部部分４０を挿入しかつ第２ラック構造体１６ｂの４箇所の下部隅角部に位置する４個の下部パイプ結合具１０ｂのそれぞれの第１垂直挿着孔３２に前記連結部材１８の上部部分３８を挿入することによって第１ラック構造体１６ｂの４つの上部パイプ結合具１０ａと第２ラック構造体１６ｂの４つの下部パイプ結合具１０ｂとが連結され、即ち第１ラック構造体１６ｂと第２ラック構造体１６ａとが上下方向に連結され積層構造とする。
【００２４】
前記連結部材１８としては、軸部材４２と、該軸部材４２の長手方向中央部に設けられた径大なるストッパリング部材４４と、該軸部材の両端部部分には長手方向に所定間隔をおいて複数個の径小なるスリップリング部材４６とを有している。このように、複数個設けられたスリップリング部材４６（図示例では６個）の中央にスリップリング部材４６よりも径大なるストッパリング部材４４を設けることでストッパの役目を担っている（図２参照）。
【００２５】
前記第１垂直挿着孔３２及び第２垂直挿着孔３４の内面には複数本の突条４８，５０がそれぞれ設けられている（図４参照）。前記連結部材１８を前記第１垂直挿着孔３２及び第２垂直挿着孔３４に挿入する際に、スリップリング部材４６及び突状４８，５０とが互いに摺接してしっかりと把持され連結部材１８の挿入動作が円滑に行われかつ前記ストッパリング部材４４によって連結部材１８に挿入先端部（前記連結部材１８の上部部分３８又は下部部分４０のいずれか）が係止されて所定位置に連結部材１８を設置させることができるようにされている（図３参照）。なお、第１水平挿着孔２０及び第２水平挿着孔２４の内面にもそれぞれ突条５２，５４が設けられており、それぞれ第１の水平パイプ１４ａ及び第２の水平パイプ１４ｄの挿入動作が円滑かつ係止されるようになっている。
【００２６】
本考案のパイプ結合具１０は、図５に示されるような単体のラック構造体１６ｂに用いることもできるし、複数のラック構造体を上下方向に連結して使用することも可能である。
【００２７】
本考案のパイプ結合具１０を用いて、複数のラック構造体が上下方向に連結され積層構造とされたラック構造体を組み立てる場合を以下にさらに詳しく説明する。
【００２８】
まず、図５に示すとともに上述したキャスタ付ラック構造体１６ｂ（第１ラック構造体）の組立て方と同様にして、第２ラック構造体１６ａを組み立てる（図６及び図７）。収容部上面５６の端部に設けられた挿通部６６ａ，６６ｂに水平パイプ１４ｂ，１４ｄを挿入し、パイプ結合具１０ｂが取り付けられた水平パイプ１４ａ，１４ｃと組み付ける。そして、収容部上面５６の端部に設けられた面ファスナー６８ａ,６８ｂで固定する。第２ラック構造体１６ａの収容部側面５８，６０には、挿通部７０ａ〜７０ｄが設けられおり、ここに垂直パイプ１２ａ〜１２ｄを挿入する。ラック構造体１６ｂの収容部下面６２には、面ファスナー６８ａ〜６８ｄ（４カ所）が設けられており、図７と同様にして組み立てられた水平パイプ１４ａ〜１４ｄを面ファスナー６８ａ〜６８ｄで固定する。そして、垂直パイプ１２ａ〜１２ｄ及び水平パイプ１４ａ〜１４ｄをパイプ結合具１０ｃで組み付けて第２ラック構造体１６ａとする。
【００２９】
そして、図８に示すように、第１ラック構造体１６ｂの４箇所の上部隅角部に位置する４個の上部パイプ結合具１０ａのそれぞれの第２垂直挿着孔３４に連結部材１８の下部部分４０を挿入しかつ第２ラック構造体１６ｂの４箇所の下部隅角部に位置する４個の下部パイプ結合具１０ｂのそれぞれの第１垂直挿着孔３２に前記連結部材１８ａ〜１８ｄの上部部分３８を挿入することによって第１ラック構造体１６ｂの４つの上部パイプ結合具１０ａと第２ラック構造体１６ｂの４つの下部パイプ結合具１０ｂとが連結され、即ち第１ラック構造体１６ｂと第２ラック構造体１６ａとが上下方向に連結され積層構造とする。このようにして図９のように連結されたラック構造体（図示例ではワイシャツラック）となる。なお、図示の例では、本考案のパイプ結合具をワイシャツラックに用いた例を示したが、バッグラックやその他の収納ラックにも適用可能である。
【００３０】
以上のように、本考案のパイプ結合具を用いれば、簡単かつコストのかからない構造で複数の収納ラックを積み重ねて使用することができる。
【図面の簡単な説明】
【００３１】
【図１】本考案のパイプ結合具を示す斜視図である。
【図２】本考案のパイプ結合具を連結部材で連結する様子を示す斜視図である。
【図３】本考案のパイプ結合具を連結部材で連結した様子を示す正面図である。
【図４】本考案のパイプ結合具を示し、（ａ）が上面図、（ｂ）が底面図である。
【図５】本考案のパイプ結合具を用いて本考案のラック構造体を組み立てている様子を示す斜視図である。
【図６】図５の状態からさらに本考案のラック構造体を組み立てている様子を示す斜視図である。
【図７】図６の状態からさらに本考案のラック構造体を組み立てている様子を示す斜視図である。
【図８】図７の状態からさらに本考案のラック構造体を組み立てている様子を示す斜視図である。
【図９】本考案のラック構造体を組み立てた状態を示す斜視図である。
【符号の説明】
【００３２】
１０，１０ａ，１０ｂ，１０ｃ，１０ｄ：本考案のパイプ結合具、１２ａ〜１２ｄ：垂直パイプ、１４ａ〜１４ｄ：水平パイプ、１６ａ，１６ｂ：ラック構造体、１８，１８ａ〜１８ｄ：連結部材、２０：第１水平挿着孔、２２：第１水平受け部、２４：第２水平挿着孔、２６：直交部、２８：第２水平受け部、３０，３０ａ〜３０ｄ：キャスタ、３２，３２ｂ：第１垂直挿着孔、３４，３４ａ：第２垂直挿着孔、３６，３６ａ，３６ｂ：垂直受け部、３８：連結部材の上部部分、４０：連結部材の下部部分、４２：軸部材、４４：ストッパリング部材、４６：スリップリング部材、４８，５０，５２，５４：突条、５６：収容部上面、５８，６０：収容部側面、６２：収容部下面、６４：棚板、６６ａ，６６ｂ，７０ａ〜７０ｄ：挿通部、６８ａ〜６８ｄ：面ファスナー。
【図１】
0003146539.tif 000003
【図２】
0003146539.tif 000004
【図３】
0003146539.tif 000005
【図４】
0003146539.tif 000006
【図５】
0003146539.tif 000007
【図６】
0003146539.tif 000008
【図７】
0003146539.tif 000009
【図８】
0003146539.tif 000010
【図９】
0003146539.tif 000011